(57)【特許請求の範囲】
【請求項１】
第１の待機装置およびｎ個の第１の現用装置により１対ｎ冗長系を形成した通信システムにおいて、
前記第１の現用装置および第１の待機装置のそれぞれと送信端で固定分岐して、各第１の現用装置および第１の待機装置との間で１＋１二重化構成された第２の現用装置および第２の待機装置と、
前記第１の現用装置のいずれかに障害が生じた場合に、該第１の現用装置から第１の待機装置への切り替え並びに当該第１の現用装置および第１の待機装置と前記第２の現用装置および第２の待機装置との間の接続関係を切り替える切替手段とを備え、
前記第１の現用装置、第１の待機装置、第２の現用装置および第２の待機装置は、それぞれＡＴＭ音声回線多重化装置であり、前記第１の現用装置および第１の待機装置はそれぞれリレースイッチ装置を介して構内交換機と接続され、前記第２の現用装置および第２の待機装置はそれぞれＡＴＭ交換機と接続されたことを特徴とする通信システム。
【請求項２】
前記切替手段は、前記第１の現用装置のいずれかに障害が生じた場合に、該第１の現用装置を前記第１の待機装置に切り替える第１の切替手段と、当該障害が生じた第１の現用装置と前記第２の現用装置および第２の待機装置との間の接続関係を前記第１の待機装置と前記第２の現用装置および第２の待機装置との間の接続関係に切り替える第２の切替手段と、を備えたことを特徴とする請求項１に記載の通信システム。
【請求項３】
前記第１の切替手段および第２の切替手段は、所定のコンソールからの切替指示に応答して切り替えをおこなうことを特徴とする請求項２に記載の通信システム。
【請求項４】
待機装置およびｎ個の現用装置により１対ｎ冗長系を形成した通信システムにおいて、
前記ｎ個の現用装置の少なくとも２つを他の現用装置または待機装置のそれぞれと送信端で固定分岐して１＋１二重化する二重化手段と、
前記現用装置のいずれかに障害が生じた場合に、当該現用装置から前記待機装置への切り替え並びに前記二重化手段による接続関係の切り替えをおこなう切替手段と、
を備えたことを特徴とする通信システム。
【請求項５】
前記切替手段は、前記現用装置のいずれかに障害が生じた場合に、該現用装置を前記待機装置に切り替える第１の切替手段と、当該障害が生じた現用装置と１＋１二重化された２つの現用装置との間の接続関係を前記待機装置と前記１＋１二重化された２つの現用装置との間の接続関係に切り替える第２の切替手段と、を備えたことを特徴とする請求項４に記載の通信システム。
【請求項６】
前記第１の切替手段および第２の切替手段は、所定のコンソールからの切替指示に応答して切り替えをおこなうことを特徴とする請求項５に記載の通信システム。
【請求項７】
前記現用装置および待機装置は、それぞれＡＴＭ音声回線多重化装置であり、各現用装置および待機装置はそれぞれリレースイッチ装置を介して構内交換機と接続され、前記１＋１二重化された２つの現用装置はそれぞれカプラ装置を介してＡＴＭ交換機と接続されたことを特徴とする請求項４、５または６に記載の通信システム。
【発明の詳細な説明】
【０００１】
【発明の属する技術分野】
本発明は、交換機能に障害や故障が発生した際の迂回経路を管理する二重化通信制御技術に係り、特に１＋１二重化装置の機能と１：ｎ冗長装置の機能の両方を兼ね備え、１＋１二重化装置と１：ｎ冗長装置を別個のシステムとして構成する場合に比べて装置台数、装備間の伝送路数、通信システムの装置コストや設置面積、およびメンテナンス資源の低減を図ることができる通信システムに関する。
【０００２】
【従来の技術】
従来、交換機能の障害や故障に対する対処技術としては、たとえば、社団法人電信電話技術委員会（ＴＴＣ）で公開されているＴＴＣ標準仕様ＪＴ−Ｇ７８３およびＪＴ−Ｇ７８２に記載のものがある。図１０は、このＴＴＣ標準仕様ＪＴ−Ｇ７８３（従来技術１）に記載されている１＋１二重化構成を説明するための主要部の機能ブロック図である。
【０００３】
図１０において、Ｃ１は第１現用チャネル、Ｓ１は第１現用セクション、Ｓ２は第２現用セクション、Ｄ１は固定分岐点、Ｄ２は選択スイッチである。なお、以下の説明では、紙面左側から右側へ向かって遷移するデータを上りデータとし、紙面右側から左側へ向かって遷移するデータを下りデータとする。
【０００４】
この従来技術１では、平常接続時、図１０に示すように、第１現用チャネルＣ１は第１現用セクションＳ１と接続されている。一方、第２現用セクションＳ２は予備系として待機しているが、固定分岐点Ｄ１において同報分岐された上りデータを常に受け取っている。
【０００５】
このような構成で、たとえば、第１現用セクションＳ１において故障が発生し通信経路を切り替える必要が生じた場合、選択スイッチＤ２をＰ２側に切り替えることによって第２現用セクションＳ２の下りデータを第１現用チャネルＣ１に接続する。また、運用モードによっては、第１現用セクションＳ１の故障が回復したときに選択スイッチＤ２をＰ１側に切り替え、第１現用セクションＳ１の下りデータを第１現用チャネルＣ１に接続し直す。この従来技術１の１＋１二重化構成ではこのような仕組みによりシステムの信頼性向上を図っている。
【０００６】
図１１は、従来技術１に記載されている１：ｎ冗長構成を説明するための主要部の機能ブロック図である。図１１において、Ｃ０は空きチャネル、Ｃ１は第１現用チャネル、Ｃ２は第２現用チャネル、Ｃ１５はエキストラトラフィックチャネル、Ｓ０は予備セクション、Ｓ１は第１現用セクション、Ｓ２は第２現用セクション、Ｄ２は選択スイッチ、Ｄ３は分岐スイッチ、Ｄ２０，Ｄ２１，Ｄ２２，Ｄ２１５は選択スイッチ、Ｄ３０，Ｄ３１，Ｄ３２，Ｄ３１５は分岐スイッチである。なお、図１１では第２現用チャネル、および第２現用セクションＳ２までしか示していないが、第３現用チャネル以降、および第３現用セクション以降があってもよいことは明らかである。
【０００７】
図１１を参照すると、この従来技術１では、平常接続状態にあっては、第１現用チャネルＣ１は第１現用セクションＳ１と接続され、第２現用チャネルＣ２は第２現用セクションＳ２に接続されている。また、空きチャネルＣ０はクローズ状態（閉状態）の分岐スイッチＤ３０を介して予備セクションＳ０へ接続されている。空きチャネルＣ０と予備セクションＳ０の経路は、現用系チャネルまたは現用系セクションのいずれかに故障が発生したときの予備系となっており、予備系として各現用系チャネルに共有されている。
【０００８】
このような接続状態で、第１現用セクションＳ１に故障が発生し通信経路を切り替える必要が生じた場合、分岐スイッチＤ３０をオープン状態（断状態）にしたうえで分岐スイッチＤ３１をクローズ状態（閉状態）とすることで、第１現用チャネルＣ１と予備セクションＳ０を接続して上りデータの経路を確保する。同時に、選択スイッチＤ２０をＰ１側に切り替えたうえで選択スイッチＤ２１をＰ２側に切り替えることで、予備セクションＳ０と第１現用チャネルＣ１を接続して下りデータの経路を確保する。一方、故障が回復した場合は、上記と逆の動作を行って元の平常時の接続状態へ復帰させる。このような仕組みにより従来技術１の１：ｎ冗長構成はシステムの信頼性向上を図っている。
【０００９】
図１２は、特開平１０−２７６２０５号公報（従来技術２）に記載されているＡＴＭ（Asynchronous Transfer Mode）通信ネットワークの二重化方式の基本構成を説明するための機能ブロック図である。
【００１０】
図１２において、１００はＡＴＭ交換機、１０１はＳＴＭ（同期転送モード）通信装置、１０２は現用系インタフェース装置、１０３は待機系インタフェース装置、１０４ａおよび１０５ａは現用系伝送路、１０４ｂおよび１０５ｂは待機系伝送路である。
【００１１】
この従来技術２では、通信中に現用系インタフェース装置１０２を含む伝送経路に異常が発生すると、ＳＴＭ通信装置１０１により待機系インタフェース装置１０３の立ち上げが行われ、当該待機系インタフェース装置１０３が現用系インタフェース装置１０２に代わって通信制御をおこなうような構成となっている。
【００１２】
【発明が解決しようとする課題】
しかしながら、上記従来技術１および２のような通信システムでは、１＋１二重化構成と１：ｎ冗長構成の両方を兼ね備えることが難しく、１＋１二重化構成と１：ｎ冗長構成を別個のシステムとして構成しなければならないため、装置台数、装備間の伝送路数が増加してしまい、通信システムの装置コストや設置面積、メンテナンス資源が１＋１二重化構成と１：ｎ冗長構成の分だけ必要になってしまうという問題点があった。
【００１３】
この発明は上記のような問題点を解消するためになされたもので、１＋１二重化装置の機能と１：ｎ冗長装置の機能の両方を兼ね備え、１＋１二重化装置と１：ｎ冗長装置を別個のシステムとして構成する場合に比べて装置台数、装備間の伝送路数、通信システムの装置コストや設置面積、およびメンテナンス資源の低減を図ることができる通信システムを得ることを目的とする。
【００１４】
【課題を解決するための手段】
上述した課題を解決し、目的を達成するため、この発明にかかる通信システムは、第１の待機装置およびｎ個の第１の現用装置により１対ｎ冗長系を形成した通信システムにおいて、前記第１の現用装置および第１の待機装置のそれぞれと送信端で固定分岐して、各第１の現用装置および第１の待機装置との間で１＋１二重化構成された第２の現用装置および第２の待機装置と、前記第１の現用装置のいずれかに障害が生じた場合に、該第１の現用装置から第１の待機装置への切り替え並びに当該第１の現用装置および第１の待機装置と前記第２の現用装置および第２の待機装置との間の接続関係を切り替える切替手段とを備え、前記第１の現用装置、第１の待機装置、第２の現用装置および第２の待機装置は、それぞれＡＴＭ音声回線多重化装置であり、前記第１の現用装置および第１の待機装置はそれぞれリレースイッチ装置を介して構内交換機と接続され、前記第２の現用装置および第２の待機装置はそれぞれＡＴＭ交換機と接続されたことを特徴とする。
【００１５】
この発明によれば、１対ｎ冗長系を形成するＡＴＭ音声回線多重化装置である第１の待機装置およびｎ個の第１の現用装置以外に、この第１の現用装置および第１の待機装置のそれぞれと送信端で固定分岐して、各第１の現用装置および第１の待機装置との間で１＋１二重化構成されたＡＴＭ音声回線多重化装置である第２の現用装置および第２の待機装置をＡＴＭ交換機に接続し、第１の現用装置のいずれかに障害が生じた場合に、該第１の現用装置から第１の待機装置への切り替え並びに当該第１の現用装置および第１の待機装置と前記第２の現用装置および第２の待機装置との間の接続関係を切り替えることとしたので、１＋１二重化構成と１対ｎ冗長構成を兼ね備えた多重化部分をＡＴＭ交換機と構内交換機の間に設けることができる。
【００１６】
つぎの発明にかかる通信システムは、上記発明において、前記切替手段は、前記第１の現用装置のいずれかに障害が生じた場合に、該第１の現用装置を前記第１の待機装置に切り替える第１の切替手段と、当該障害が生じた第１の現用装置と前記第２の現用装置および第２の待機装置との間の接続関係を前記第１の待機装置と前記第２の現用装置および第２の待機装置との間の接続関係に切り替える第２の切替手段と、を備えたことを特徴とする。
【００１７】
この発明によれば、第１の現用装置のいずれかに障害が生じた場合に、第１の切換手段によって該第１の現用装置を第１の待機装置に切り替えるとともに、第２の切換手段によって当該障害が生じた第１の現用装置と第２の現用装置および第２の待機装置との間の接続関係を第１の待機装置と第２の現用装置および第２の待機装置との間の接続関係に切り替えることとしたので、１＋１二重化構成の切り替えと１対ｎ冗長構成の切り替えを円滑におこなうことができる。
【００１８】
つぎの発明にかかる通信システムは、上記発明において、前記第１の切替手段および第２の切替手段は、所定のコンソールからの切替指示に応答して切り替えをおこなうことを特徴とする。
【００１９】
この発明によれば、第１の切替手段および第２の切替手段を所定のコンソールからの切替指示に応答して切り替えることとしたので、管理者の管理の下に明示的にシステムの切り替えをおこなうことができる。
【００２２】
つぎの発明にかかる通信システムは、待機装置およびｎ個の現用装置により１対ｎ冗長系を形成した通信システムにおいて、前記ｎ個の現用装置の少なくとも２つを他の現用装置または待機装置のそれぞれと送信端で固定分岐して１＋１二重化する二重化手段と、前記現用装置のいずれかに障害が生じた場合に、当該現用装置から前記待機装置への切り替え並びに前記二重化手段による接続関係の切り替えをおこなう切替手段と、を備えたことを特徴とする。
【００２３】
この発明によれば、１対ｎ冗長系を形成するｎ個の現用装置の少なくとも２つを他の現用装置または待機装置のそれぞれと送信端で固定分岐して１＋１二重化し、現用装置のいずれかに障害が生じた場合に、当該現用装置から待機装置への切り替え並びに１＋１二重化の接続関係を切り替えることとしたので、装置台数の抑制、装置間の伝送路数の削減、コストの抑制を図ることができる。
【００２４】
つぎの発明にかかる通信システムは、上記発明において、前記切替手段は、前記現用装置のいずれかに障害が生じた場合に、該現用装置を前記待機装置に切り替える第１の切替手段と、当該障害が生じた現用装置と１＋１二重化された２つの現用装置との間の接続関係を前記待機装置と前記１＋１二重化された２つの現用装置との間の接続関係に切り替える第２の切替手段と、を備えたことを特徴とする。
【００２５】
この発明によれば、現用装置のいずれかに障害が生じた場合に、第１の切換手段によって該現用装置を待機装置に切り替えるとともに、第２の切換手段によって当該障害が生じた現用装置と１＋１二重化された２つの現用装置との間の接続関係を待機装置と１＋１二重化された２つの現用装置との間の接続関係に切り替えることとしたので、１＋１二重化構成の切り替えと１対ｎ冗長構成の切り替えを円滑におこなうことができる。
【００２６】
つぎの発明にかかる通信システムは、上記発明において、前記第１の切替手段および第２の切替手段は、所定のコンソールからの切替指示に応答して切り替えをおこなうことを特徴とする。
【００２７】
この発明によれば、第１の切替手段および第２の切替手段を所定のコンソールからの切替指示に応答して切り替えることとしたので、管理者の管理の下に明示的にシステムの切り替えをおこなうことができる。
【００２８】
つぎの発明にかかる通信システムは、上記発明において、前記現用装置および待機装置は、それぞれＡＴＭ音声回線多重化装置であり、各現用装置および待機装置はそれぞれリレースイッチ装置を介して構内交換機と接続され、前記１＋１二重化された２つの現用装置はそれぞれカプラ装置を介してＡＴＭ交換機と接続されたことを特徴とする。
【００２９】
この発明によれば、現用装置および待機装置は、それぞれＡＴＭ音声回線多重化装置であり、各現用装置および待機装置はそれぞれリレースイッチ装置を介して構内交換機と接続し、１＋１二重化された２つの現用装置はそれぞれカプラ装置を介してＡＴＭ交換機と接続することとしたので、１＋１二重化構成と１対ｎ冗長構成を兼ね備えた多重化部分をＡＴＭ交換機と構内交換機の間に設けることができる。
【００３０】
【発明の実施の形態】
【００３１】
実施の形態１．
以下、この発明の実施の形態１を図面に基づいて詳細に説明する。図１は、本発明の実施の形態１に係る通信システム１０を説明するための機能ブロック図である。図１において、１０は本実施の形態の通信システム、１１〜１６はＶＡＭＥ装置（ＡＴＭ音声回線多重化装置）、１１ａ〜１４ａはＡＴＭ通信方式による全二重、双方向の通信制御をおこなう現用系のＡＴＭインタフェース、１１ｂ〜１４ｂは待機系のＡＴＭインタフェース、２ａは現用系のＡＴＭインタフェース、２ｂは待機系のＡＴＭインタフェース、３０はコンソール、３１はオフィスや事務所における構内交換機として一般的に普及しているＰＢＸ装置、３２は入線ポートと出線ポートの物理的接続を任意に設定できるリレースイッチ装置（またはリレースイッチ回路も可）、３３はＡＴＭ交換機、３０１は制御情報を伝送するためのコンソールケーブル、７１〜７８は時分割多重方式による全二重、双方向の通信制御をおこなう通信制御をおこなうＰＢＸインタフェースである。
【００３２】
ＰＢＸ装置３１はＰＢＸインタフェース７１〜７４を介してリレースイッチ装置３２の下流側に接続されている。ＶＡＭＥ装置１１，…，１４はリレースイッチ装置３２の上流側に並列接続されている。ＶＡＭＥ装置１５は現用系のＡＴＭインタフェース１１ａ〜１４ａを介してＶＡＭＥ装置１１，…，１４の上流側に並列接続されている。ＶＡＭＥ装置１６は待機系のＡＴＭインタフェース１１ｂ〜１４ｂを介してＶＡＭＥ装置１１，…，１４の上流側に並列接続されている。
【００３３】
コンソール３０はリレースイッチ装置３２、ＡＴＭ交換機３３に接続され、ＶＡＭＥ装置１１〜１６を監視し、１＋１二重化切り替え、および１：ｎ冗長切り替えを指示する機能を有している。コンソール３０と上記各装置とは論理的には１対１接続であるが、本実施の形態では通常、物理的構成は問わない。
【００３４】
ＡＴＭ通信方式による全二重、双方向の通信制御をおこなう現用系のＡＴＭインタフェース１１ａ〜１４ａ、待機系のＡＴＭインタフェース１１ｂ〜１４ｂ、現用系のＡＴＭインタフェース２ａ、待機系のＡＴＭインタフェース２ｂとしては、たとえば、光ファイバ（ＳＤＨ，ＳＯＮＥＴ）、同軸ケーブル（ＤＳ−３）、ツイストペアケーブル（ＡＴＭフォーラム規格ＡＦ−ＰＨＹ−００４０．０００）等を用いることができる。
【００３５】
時分割多重方式による全二重、双方向の通信制御をおこなうＰＢＸインタフェース７１〜７８としては、たとえば、Ｔ１（１．５４４Ｍｂｐｓ），Ｅ１（２．０４８Ｍｂｐｓ），Ｊ２（６．３１２Ｍｂｐｓ）等、ＰＢＸで一般的なインタフェースを用いることができる。
【００３６】
制御情報を伝送するためのコンソールケーブル３０１としては、たとえば、ＲＳ−２３２Ｃケーブル、ツイストペアケーブル等を用いることができる。
【００３７】
図２は、実施の形態１の通信システム１０に設けられたＶＡＭＥ装置１１〜１６の詳細を説明するための機能ブロック図である。本実施の形態のＶＡＭＥ装置１１〜１６は、Voice on ATM Multiplication Equipmentの略称であり、日本語ではＡＴＭ音声回線多重化装置と呼ばれている。図２において、２はコーデック部、３はＡＴＭセルの組立分解処理をおこなうＳＡＲ部、４はＡＴＭスイッチ、５０はＵＴＯＰＩＡバス、８１〜８ｍはＰＢＸインタフェース、９１〜９ｎはＡＴＭインタフェースである。
【００３８】
図２を参照すると、本実施の形態では、コーデック部２は複数の時分割多重回線を収容し、メディア種別ごとに符号化、復号、復調、圧縮等の処理を実施する機能を有し、ＰＢＸインタフェース８１〜８ｍが下流側に接続され、ＳＡＲ部３が上流側に接続されている。ＳＡＲ部３の下流側にはＵＴＯＰＩＡバス５０を介してＡＴＭインタフェース９１〜９ｎが並列に接続されている。
【００３９】
ＡＴＭスイッチ４は入力ＡＴＭセルのヘッダを見て出力ポートを選択し伝送する機能を有している。ＵＴＯＰＩＡバス５０はＡＴＭフォーラムで規定されているマルチＰＨＹに対応したバスである。ＵＴＯＰＩＡバス５０上では、ＡＴＭスイッチ４がＵＴＯＰＩＡバスマスタ、つまりＡＴＭレイヤ側となり、ＡＴＭインタフェース９１〜９ｎの各ポートおよびＳＡＲ部３がＵＴＯＰＩＡバススレーブとなっている。
【００４０】
次に、上記実施の形態１の通信システム１０の接続形態およびその動作をさらに詳しく説明する。図１を参照すると、本実施の形態の通信システム１０では、単体または複数のＰＢＸ装置３１とＶＡＭＥ装置１１，…，１４とがリレースイッチ装置３２を介して接続されている。
【００４１】
リレースイッチ装置３２は、ＰＢＸインタフェース７１〜７４とＰＢＸインタフェース７５〜７８を１対１で接続する機能を有し、コンソール３０からの指示に応じてこの接続を変更できる。たとえば、通常はＰＢＸインタフェース７１とＰＢＸインタフェース７５が接続されているが、コンソール３０からの指示に応じて当該接続状態をＰＢＸインタフェース７１とＰＢＸインタフェース７８の接続に変更できる。
【００４２】
ＶＡＭＥ装置１１はコーデック装置として動作しており、上り方向ではリレースイッチ装置３２から受信した時分割多重回線データを、各チャネルで送受信されるメディアの種別に応じて符号化してＡＴＭセルを作成し現用系のＡＴＭインタフェース１１ａと待機系のＡＴＭインタフェース１１ｂのいずれかのＡＴＭインタフェースを選択して出力する。
【００４３】
これに対して、下り方向では現用系のＡＴＭインタフェース１１ａと待機系のＡＴＭインタフェース１１ｂのいずれかで受信したＡＴＭセルはセル分解され、上り方向の場合とは逆の処理順序でコーデック処理が行われた後にＰＢＸインタフェース７５へ出力される。ＶＡＭＥ装置１２，…，１４もＶＡＭＥ装置１１と同様の動作を実行できる。
【００４４】
一方、ＶＡＭＥ装置１５はＡＴＭ多重化装置として動作している。上り方向においては現用系のＡＴＭインタフェースを介して受信したＡＴＭセルを多重し、現用系のＡＴＭインタフェース２ａへ出力する。また下り方向は現用系のＡＴＭインタフェース２ａを介して受信したＡＴＭセルをＡＴＭインタフェース１１ａ，１２ａ，１３ａ，１４ａへ同報出力する。ＶＡＭＥ装置１６もＶＡＭＥ装置１５と同様の動作を実行できる。
【００４５】
ＡＴＭ交換機３３は、上り方向においては現用系のＡＴＭインタフェース２ａ、待機系のＡＴＭインタフェース２ｂのいずれかを選択し受信する。また下り方向においては、現用系のＡＴＭインタフェース２ａ、待機系のＡＴＭインタフェース２ｂへ同報転送する。
【００４６】
次に、正常時における現用系の構成および待機系の構成を説明する。図１を参照すると、本実施の形態の通信システム１０では、ＶＡＭＥ装置１１，…，１３は現用系のコーデック、ＶＡＭＥ装置１４は待機系のコーデックとして動作しており、１：３冗長構成を形成している。ここでは、ＶＡＭＥ装置１４はスタンバイ状態となっており、実運用には関わっていないが、ＶＡＭＥ装置１１，…，１３において障害が発生した場合は、障害の発生したＶＡＭＥ装置１１，…，１３の代用装置として運用される。
【００４７】
また、ＶＡＭＥ装置１５は現用系のＡＴＭ多重化装置、ＶＡＭＥ１６は待機系のＡＴＭ多重化装置として動作しており、共に１＋１二重化構成を形成している。ここでは、ＶＡＭＥ装置１６はスタンバイ状態となっており実運用には関わっていないが、ＶＡＭＥ装置１５で障害が発生した場合はＶＡＭＥ装置１５の代用として運用される。
【００４８】
次に本実施の形態の通信システム１０の動作について説明する。図３は、本発明の実施の形態１の通信システム１０における冗長切り替え工程を説明するためのフローチャートである。図３のフローチャートでは、ＶＡＭＥ装置１３で故障が発生した場合の冗長切り替え工程を、ステップＳ１０〜ステップＳ１４の処理工程として示している。
【００４９】
図３を参照すると、まず、本実施の形態では、ＶＡＭＥ装置１３にて障害が発生したことが検出された際に（ステップＳ１０）、コンソール３０にＶＡＭＥ装置１３において生じた障害発生を通知する工程を実行する（ステップＳ１１）。これに応じてコンソール３０は待機系のＶＡＭＥ装置１４、リレースイッチ装置３２に、ＶＡＭＥ装置１３の冗長切り替えを指示する工程を実行する（ステップＳ１２）。このときＶＡＭＥ装置１４は、ＶＡＭＥ装置１３のコネクション情報、制御情報をコンソール３０から獲得する工程を実行する（ステップＳ１３）。またリレースイッチ装置３２は、ＶＡＭＥ装置１３への上り／下り経路をＶＡＭＥ装置１４へ切り替える工程を実行する（ステップＳ１４）。
【００５０】
以上説明したように、図３に示す本実施の形態の冗長切り替え工程を実行することにより、ＶＡＭＥ装置１３で障害が発生した際の冗長切り替えが可能となる。なお、本冗長切り替え工程の作用および効果は、ＶＡＭＥ装置１１，１２において障害が発生した際もまったく同様に適用できることは明らかであるので説明は省略する。
【００５１】
次に、ＶＡＭＥ装置１３において生じた障害が回復された際の冗長切り替え工程について説明する。図４は、実施の形態１における冗長切り替え後の通信システム１０の障害回復工程を説明するためのフローチャートである。図４のフローチャートでは、ＶＡＭＥ装置１３で故障が発生し冗長切り替えを実施した後に当該障害が回復された際の障害回復工程を、ステップＳ１５〜ステップＳ１８の処理工程として示している。
【００５２】
図４を参照すると、まず、本実施の形態では、ＶＡＭＥ装置１３において生じた障害が回復されたことが検出された際に（ステップＳ１５）、コンソール３０にＶＡＭＥ装置１３において生じた障害が回復されたことを通知する工程を実行する（ステップＳ１６）。これに応じてコンソール３０は、リレースイッチ装置３２にＶＡＭＥ装置１３の復旧を指示する工程を実行する（ステップＳ１７）。これに応じてリレースイッチ装置３２は、ＶＡＭＥ装置１４への上り／下り経路をＶＡＭＥ装置１３に切り替える工程を実行する（ステップＳ１８）。なお、本障害回復工程の作用および効果は、ＶＡＭＥ装置１１，１２において障害が発生し冗長切り替えを実施した後に当該障害が回復された際もまったく同様に適用できることは明らかであるので説明は省略する。
【００５３】
以上説明したように、図４に示す本実施の形態の障害回復工程を実行することにより、ＶＡＭＥ装置１３で障害が発生し冗長切り替えを実施した後に当該障害が回復された際の復旧が可能となる。
【００５４】
なお、図４で説明した障害回復工程は、必ず実施されるものではなく、システムに依存する問題であると考えられる。たとえば、システムによっては、障害から復旧した装置について、障害回復工程を実行することなく、そのまま待機系装置として運用することも可能である。
【００５５】
次に、ＶＡＭＥ装置１５において障害が発生した際の二重化切り替え工程を説明する。図５は本発明の実施の形態１における通信システム１０の二重化切り替え工程を説明するためのフローチャートである。図５のフローチャートでは、ＶＡＭＥ装置１５で故障が発生した場合の二重化切り替え工程を、ステップＳ２０〜ステップＳ２４の処理工程として示している。
【００５６】
図５を参照すると、まず、本実施の形態では、ＶＡＭＥ装置１５にて障害が発生したことが検出された際に（ステップＳ２０）、コンソール３０にＶＡＭＥ装置１５における障害発生を通知する工程を実行する（ステップＳ２１）。これに応じてコンソール３０は、ＶＡＭＥ装置１１，…，１４，１６に、待機系のＡＴＭ多重化装置への切り替えを指示する工程を実行する（ステップＳ２２）。
【００５７】
これに応じてＡＴＭ交換機３３は、上りデータの受信選択チャネルを現用系のＡＴＭインタフェース２ａから待機系のＡＴＭインタフェース２ｂへ切り替える工程を実行する（ステップＳ２３）。
【００５８】
これに応じてＶＡＭＥ装置１１は、下りデータの選択チャネルを現用系のＡＴＭインタフェース１１ａから待機系のＡＴＭインタフェース１１ｂに切り替える工程を実行する（ステップＳ２４）。なお、本二重化切り替え工程の作用および効果は、ＶＡＭＥ装置１２，…，１４に対してもまったく同様に適用できることは明らかであるので説明は省略する。
【００５９】
以上説明したように、図５に示す本実施の形態の二重化切り替え工程を実行することにより、ＶＡＭＥ装置１５で障害が発生した際の二重化切り替えが可能となる。
【００６０】
次に、ＶＡＭＥ装置１５において障害が回復された際の障害回復工程を説明する。図６は、本実施の形態１の通信システム１０における通信システム１０の二重化切り替え後の障害回復工程を説明するためのフローチャートである。図６のフローチャートでは、ＶＡＭＥ装置１５で故障が発生し二重化切り替えを実施した後に当該障害が回復された際の障害回復工程を、ステップＳ２５〜ステップＳ２９の処理工程として示している。
【００６１】
図６を参照すると、まず、本実施の形態では、ＶＡＭＥ装置１５において障害が回復されたことが検出された際に（ステップＳ２５）、コンソール３０にＶＡＭＥ装置１５における障害が回復されたことを通知する工程を実行する（ステップＳ２６）。
【００６２】
これに応じてコンソール３０はＶＡＭＥ装置１１，…，１４，１６にＡＴＭ多重化装置現用系の復旧を指示する工程を実行する（ステップＳ２７）。このときＡＴＭ交換機３３は、上りデータの受信選択チャネルを待機系のＡＴＭインタフェース２ｂから現用系のＡＴＭインタフェース２ａへ切り替える工程を実行する（ステップＳ２８）。
【００６３】
またＶＡＭＥ装置１１は下りデータの選択を待機系のＡＴＭインタフェース１１ｂから現用系のＡＴＭインタフェース１１ａに切り替える工程を実行する（ステップＳ２９）。なお、本障害回復工程の作用および効果は、ＶＡＭＥ装置１２，…，１４に対してもまったく同様に適用できることは明らかであるので説明は省略する。
【００６４】
以上説明したように、図６に示す本実施の形態の障害回復工程を実行することにより、ＶＡＭＥ装置１５で障害が発生し二重化切り替えを実施した後に当該障害が回復された際の復旧が可能となる。
【００６５】
なお、図６で説明した障害回復工程は、必ず実施されるものではなく、システムに依存する問題であると考えられる。たとえば、システムによっては、障害から復旧した装置について、障害回復工程を実行することなく、そのまま待機系装置として運用することも可能である。
【００６６】
以上説明したように実施の形態１の通信システム１０によれば、１＋１二重化構成と１：ｎ冗長構成による信頼性の高い多重化システムを構築できるようになるといった効果を奏する。
【００６７】
実施の形態２．
以下、この発明の実施の形態２として、上記実施の形態１に説明した構成と手段を継承し、装置構成の削減、および装置間ケーブルの削減を可能とした通信システムの構成およびその動作を説明する。なお、上記実施の形態１において既に記述したものと同一の部分については、同一符号を付し、重複した説明は省略する。
【００６８】
図７は、本発明の実施の形態２に係る通信システム２０を説明するための機能ブロック図である。図７において、２ｃはＡＴＭインタフェース、２０は本実施の形態の通信システム、３４はカプラである。
【００６９】
図７を参照すると、本実施の形態において、ＡＴＭインタフェース２ｃは、現用系のＡＴＭインタフェース２ａ、待機系のＡＴＭインタフェース２ｂと同様のＡＴＭ通信方式による全二重、双方向の通信制御をおこなうＡＴＭインタフェースである。
【００７０】
またカプラ３４は、上り方向では現用系のＡＴＭインタフェース２ａまたは待機系のＡＴＭインタフェース２ｂのいずれかのポートのデータをＡＴＭインタフェース２ｃへ伝送し、下り方向ではＡＴＭインタフェース２ｃからのデータを現用系のＡＴＭインタフェース２ａ，２ｂへ同報転送する機能を有している。なお、その他の構成要素については図１と同様である重複した説明は省略する。
【００７１】
次に、上記実施の形態２の通信システム２０の接続形態およびその動作をさらに詳しく説明する。図７を参照すると、本実施の形態の通信システム２０では、単体または複数のＰＢＸ装置３１とＶＡＭＥ装置１１，…，１４はリレースイッチ装置３２を介して接続されている。
【００７２】
リレースイッチ装置３２は、ＰＢＸインタフェース７１〜７４とＰＢＸインタフェース７５〜７８を１対１で接続しており、コンソール３０からの指示に応じてこの接続を変更できる。たとえば、通常はＰＢＸインタフェース７１とＰＢＸインタフェース７５が接続されているが、コンソール３０からの指示に応じてＰＢＸインタフェース７１とＰＢＸインタフェース７８の接続に変更できる。
【００７３】
ＶＡＭＥ装置１１はコーデック装置および現用系ＡＴＭ多重化装置として動作している。上り方向ではリレースイッチ装置３２から受信した時分割多重回線データを、各チャネルのメディア種別に応じてコーデック部で符号化してＡＴＭセルを作成し、現用系のＡＴＭインタフェース２ａと現用系のＡＴＭインタフェース１１ｂへ同報出力する。
【００７４】
また、現用系のＡＴＭインタフェース２ａにおいては、上り方向でＡＴＭインタフェース１１ｂ，１３ａ，１４ａより受信したＡＴＭセルをさらに多重し出力する。また下り方向では、現用系のＡＴＭインタフェース２ａを介して受信したＡＴＭセルのうち、自装置宛てのＡＴＭセルについてはセルを分解しコーデック部に転送し、前記コーデック部において上り方向と逆のコーデック処理を行い、ＰＢＸインタフェース７５へ転送する。
【００７５】
一方、自装置宛てでないＡＴＭセルについては、ＡＴＭインタフェース１１ｂ，１３ａ，１４ａへ同報出力するか、またはＡＴＭセルの宛先を見て各ＡＴＭインタフェースポート宛てに選択出力する。
【００７６】
ＶＡＭＥ装置１２は現用系コーデック装置および待機系コーデック装置として動作している。上り方向ではリレースイッチ装置３２から受信した時分割多重回線データを、各チャネルのメディア種別に応じてコーデック部で符号化してＡＴＭセルを作成し、待機系のＡＴＭインタフェースとＡＴＭインタフェース１１ｂへ同報出力する。また、前記待機系のＡＴＭインタフェースにおいては、上り方向でＡＴＭインタフェース１１ｂ，１３ｂ，１４ｂより受信したＡＴＭセルをさらに多重する。
【００７７】
このとき、ＶＡＭＥ装置１２は待機系のＡＴＭ多重化装置であるため、待機系のＡＴＭインタフェースの出力はオフ状態に設定しておく。たとえば、待機系のＡＴＭインタフェースがＯＣ−３ｃによる光ファイバであれば、光信号出力をオフ状態に設定しておく。またＤＳ−３等の電気インタフェースであれば、電気出力をオフ状態に設定しておく。
【００７８】
下り方向は、ＡＴＭインタフェース１１ｂより受信したＡＴＭセルのうち、自装置宛てのＡＴＭセルはセル分解しコーデック部に転送し、前記コーデック部において上り方向の処理とは逆の処理順序でコーデック処理を行い、ＰＢＸインタフェース７６へ出力する。
【００７９】
ＶＡＭＥ装置１３は現用系コーデック装置として動作している。上り方向ではリレースイッチ装置３２から受信した時分割多重回線データを、各チャネルのメディア種別に応じて符号化してＡＴＭセルを作成し、ＡＴＭインタフェース１３ａ，１３ｂへ同報出力する。
【００８０】
また下り方向では、現用系のＡＴＭインタフェース１３ａと待機系のＡＴＭインタフェース１３ｂのいずれかのインタフェースを選択し受信する。受信したＡＴＭセルのうち自装置宛てのＡＴＭセルはセル分解してコーデック部に転送し、前記コーデック部において上り方向の処理とは逆の処理順序でコーデック処理を行い、ＰＢＸインタフェース７７へ出力する。
【００８１】
ＶＡＭＥ装置１４は待機系コーデック装置として動作している。上り方向ではリレースイッチ装置３２から受信した時分割多重回線データを、各チャネルのメディア種別に応じて符号化してＡＴＭセルを作成し、ＡＴＭインタフェース１４ａ，１４ｂへ同報出力する。
【００８２】
また下り方向では現用系のＡＴＭインタフェース１４ａまたは待機系のＡＴＭインタフェース１４ｂのいずれかのインタフェースを選択し受信する。さらに当該受信したＡＴＭセルのうち自装置宛てのＡＴＭセルをセル分解してコーデック部に転送し、前記コーデック部において上り方向の処理とは逆の処理順序でコーデック処理を行い、ＰＢＸインタフェース７８へ出力する。
【００８３】
次に本実施の形態の通信システム２０の動作について説明する。図８は、本発明の実施の形態２の通信システム２０における待機系への切り替え工程を説明するためのフローチャートである。図８のフローチャートでは、ＶＡＭＥ装置１１で故障が発生した場合の待機系への切り替え工程を、ステップＳ３０〜ステップＳ３８の処理工程として示している。
【００８４】
図８を参照すると、まず、本実施の形態では、ＶＡＭＥ装置１１において障害が発生したことが検出された際に（ステップＳ３０）、コンソール３０にＶＡＭＥ装置１１における障害発生を通知する工程を実行する（ステップＳ３１）。これに応じてコンソール３０は、ＶＡＭＥ装置１１，…，１４、リレースイッチ装置３２にＶＡＭＥ装置１１の待機系への切り替えを指示する工程を実行する（ステップＳ３２）。
【００８５】
このときＶＡＭＥ装置１４は、コンソール３０からＶＡＭＥ装置１１のコネクション情報、制御情報を獲得する工程を実行する（ステップＳ３３）。またリレースイッチ装置３２はＶＡＭＥ装置１１への上り／下り経路をＶＡＭＥ装置１４へ切り替える工程を実行する（ステップＳ３４）。
【００８６】
これに応じてＶＡＭＥ装置１１は、現用系のＡＴＭインタフェース２ａのポート出力をオフ状態にする工程を実行する（ステップＳ３５）。このときＶＡＭＥ装置１２は、待機系のＡＴＭインタフェース２ｂのポート出力をオン状態に設定し、上りデータをすべて待機系のＡＴＭインタフェース２ｂから出力し、下りデータの選択チャネルをＡＴＭインタフェース１１ｂから待機系のＡＴＭインタフェース２ｂに切り替え、自装置宛てのＡＴＭセルについてはセル分解後にコーデック部に転送する。
【００８７】
また前記コーデック部において上り方向と逆のコーデック処理を行ってＰＢＸインタフェース７６へ出力し、自装置宛てでないセルについてはＡＴＭインタフェース１３ｂ，１４ｂへ同報出力するかまたはＡＴＭセルの宛先を見て各ＡＴＭインタフェースポート宛てに選択出力する工程を実行する（ステップＳ３６）。
【００８８】
ＶＡＭＥ装置１３は下りデータの受信選択チャネルをＡＴＭインタフェース１３ａからＡＴＭインタフェース１３ｂに切り替える工程を実行する（ステップＳ３７）。一方ＶＡＭＥ装置１４は、下りデータの受信選択チャネルをＡＴＭインタフェース１４ａからＡＴＭインタフェース１４ｂに切り替える工程を実行する（ステップＳ３８）。
【００８９】
以上説明したように、図８に示す本実施の形態の待機系への切り替え工程を実行することにより、ＶＡＭＥ装置１１で障害が発生した際の待機系への切り替えが可能となる。
【００９０】
次に、ＶＡＭＥ装置１１において障害が回復された際の障害回復工程を説明する。図９は、実施の形態２の通信システム２０における障害回復工程を説明するためのフローチャートである。図９のフローチャートでは、ＶＡＭＥ装置１１で故障が発生し待機系への運用切り替えを実施した後に当該障害が回復された際の障害回復工程を、ステップＳ４０〜ステップＳ４７の処理工程として示している。
【００９１】
図９を参照すると、まず、本実施の形態では、ＶＡＭＥ装置１１において障害が回復されたことが検出された際に（ステップＳ４０）、コンソール３０にＶＡＭＥ装置１１の障害除去を通知する工程を実行する（ステップＳ４１）。
【００９２】
これに応じてコンソール３０は、ＶＡＭＥ装置１１，…，１４、リレースイッチ装置３２にＶＡＭＥ装置１１の現用系復旧を指示する。ステップＳ４３で、リレースイッチ装置３２はＶＡＭＥ装置１１への上り／下り経路をＶＡＭＥ装置１４へ切り替える工程を実行する（ステップＳ４２）。
【００９３】
このときＶＡＭＥ装置１２は、待機系のＡＴＭインタフェース２ｂのポート出力をオフ状態に設定し、下りデータの選択を待機系のＡＴＭインタフェース２ｂからＡＴＭインタフェース１１ｂに戻すと同時に、ＡＴＭインタフェース１３ｂ，１４ｂへの出力をオフ状態にする工程を実行する（ステップＳ４４）。
【００９４】
またＶＡＭＥ装置１１は、現用系のＡＴＭインタフェース２ａのポート出力をオン状態にする。ステップＳ４６で、ＶＡＭＥ装置１３は下りデータの受信選択チャネルをＡＴＭインタフェース１３ｂからＡＴＭインタフェース１３ａに戻す（ステップＳ４５）。
【００９５】
そしてＶＡＭＥ装置１４は、下りデータの受信選択チャネルをＡＴＭインタフェース１４ｂからＡＴＭインタフェース１４ａに戻す（ステップＳ４７）。なお、ＶＡＭＥ装置１２，…，１４において障害が発生した際の待機系への切り替え工程については、実施の形態１で説明した冗長切り替え工程（図３参照）と同様である重複した説明は省略する。
【００９６】
以上説明したように、図９に示す本実施の形態の障害回復工程を実行することにより、ＶＡＭＥ装置１１で障害が発生し待機系への切り替えを実施した後に当該障害が回復された際の復旧が可能となる。
【００９７】
なお、図９で説明した障害回復工程は必ず実施されるものではなく、システムに依存する問題である。たとえば、システムによっては、障害から復旧した装置について、障害回復工程を実行することなく、そのまま待機系装置として運用することも可能である。
【００９８】
以上説明したように実施の形態２によれば、最小限の装置構成により１＋１二重化構成と１：ｎ冗長構成による信頼性の高い多重化システムを構築できるようになるといった効果を奏する。
【００９９】
なお、本発明が上記各実施形態に限定されず、本発明の技術思想の範囲内において、各実施形態は適宜変更され得ることは明らかである。また上記構成部材の数、位置、形状等は上記実施の形態に限定されず、本発明を実施する上で好適な数、位置、形状等にできる。
【０１００】
また、各図において、同一構成要素には同一符号を付している。また本発明は、主としてＶＡＭＥ装置のようにコーデック機能等の上位のアプリケーション機能が含まれる交換装置および交換システムで適用されるが、本発明の適用範囲をＶＡＭＥ装置またはＶＡＭＥシステムに限定するものではない。
【０１０１】
【発明の効果】
以上説明したように、この発明によれば、１対ｎ冗長系を形成するＡＴＭ音声回線多重化装置である第１の待機装置およびｎ個の第１の現用装置以外に、この第１の現用装置および第１の待機装置のそれぞれと送信端で固定分岐して、各第１の現用装置および第１の待機装置との間で１＋１二重化構成されたＡＴＭ音声回線多重化装置である第２の現用装置および第２の待機装置をＡＴＭ交換機に接続し、第１の現用装置のいずれかに障害が生じた場合に、該第１の現用装置から第１の待機装置への切り替え並びに当該第１の現用装置および第１の待機装置と前記第２の現用装置および第２の待機装置との間の接続関係を切り替えるよう構成したので、１＋１二重化構成と１対ｎ冗長構成を兼ね備えた多重化部分をＡＴＭ交換機と構内交換機の間に設けることが可能な通信システムが得られるという効果を奏する。
【０１０２】
つぎの発明によれば、第１の現用装置のいずれかに障害が生じた場合に、第１の切換手段によって該第１の現用装置を第１の待機装置に切り替えるとともに、第２の切換手段によって当該障害が生じた第１の現用装置と第２の現用装置および第２の待機装置との間の接続関係を第１の待機装置と第２の現用装置および第２の待機装置との間の接続関係に切り替えるよう構成したので、１＋１二重化構成の切り替えと１対ｎ冗長構成の切り替えを円滑におこなうことが可能な通信システムが得られるという効果を奏する。
【０１０３】
つぎの発明によれば、第１の切替手段および第２の切替手段を所定のコンソールからの切替指示に応答して切り替えるよう構成したので、管理者の管理の下に明示的にシステムの切り替えをおこなうことが可能な通信システムが得られるという効果を奏する。
【０１０５】
つぎの発明によれば、１対ｎ冗長系を形成するｎ個の現用装置の少なくとも２つを他の現用装置または待機装置のそれぞれと送信端で固定分岐して１＋１二重化し、現用装置のいずれかに障害が生じた場合に、当該現用装置から待機装置への切り替え並びに１＋１二重化の接続関係を切り替えるよう構成したので、装置台数の抑制、装置間の伝送路数の削減、コストの抑制を図ることが可能な通信システムが得られるという効果を奏する。
【０１０６】
つぎの発明によれば、現用装置のいずれかに障害が生じた場合に、第１の切換手段によって該現用装置を待機装置に切り替えるとともに、第２の切換手段によって当該障害が生じた現用装置と１＋１二重化された２つの現用装置との間の接続関係を待機装置と１＋１二重化された２つの現用装置との間の接続関係に切り替えるよう構成したので、１＋１二重化構成の切り替えと１対ｎ冗長構成の切り替えを円滑におこなうことが可能な通信システムが得られるという効果を奏する。
【０１０７】
つぎの発明によれば、第１の切替手段および第２の切替手段を所定のコンソールからの切替指示に応答して切り替えるよう構成したので、管理者の管理の下に明示的にシステムの切り替えをおこなうことが可能な通信システムが得られるという効果を奏する。
【０１０８】
つぎの発明によれば、現用装置および待機装置は、それぞれＡＴＭ音声回線多重化装置であり、各現用装置および待機装置はそれぞれリレースイッチ装置を介して構内交換機と接続し、１＋１二重化された２つの現用装置はそれぞれカプラ装置を介してＡＴＭ交換機と接続するよう構成したので、１＋１二重化構成と１対ｎ冗長構成を兼ね備えた多重化部分をＡＴＭ交換機と構内交換機の間に設けることが可能な通信システムが得られるという効果を奏する。
【図面の簡単な説明】
【図１】  本発明の実施の形態１に係る通信システムを説明するための機能ブロック図である。
【図２】  実施の形態１の通信システムに設けられたＶＡＭＥ装置の詳細を説明するための機能ブロック図である。
【図３】  本発明の実施の形態１に係る通信システムにおける冗長切り替えを説明するためのフローチャートである。
【図４】  実施の形態１における冗長切り替え後の通信システムの障害回復を説明するためのフローチャートである。
【図５】  実施の形態１における通信システムの二重化切り替えを説明するためのフローチャートである。
【図６】  本実施の形態１における通信システムの二重化切り替え後の障害回復を説明するためのフローチャートである。
【図７】  本発明の実施の形態２に係る通信システムを説明するための機能ブロック図である。
【図８】  本発明の実施の形態２におけるの待機系への切り替えを説明するためのフローチャートである。
【図９】  実施の形態２における通信システムの復旧を説明するためのフローチャートである。
【図１０】  従来技術１（ＴＴＣ標準仕様ＪＴ−Ｇ７８３）に記載されている１＋１二重化構成を説明するための主要部の機能ブロック図である。
【図１１】  従来技術１に記載されている１：ｎ冗長構成を説明するための主要部の機能ブロック図である。
【図１２】  従来技術２に記載されているＡＴＭ通信ネットワークの二重化方式の基本構成を説明するための機能ブロック図である。
【符号の説明】
２  コーデック部、  ３  ＳＡＲ部、  ４  ＡＴＭスイッチ、  １０，２０  通信システム、  １１〜１６  ＶＡＭＥ装置（ＡＴＭ音声回線多重化装置）、  １１ａ〜１４ａ，１１ｂ〜１４ｂ，２ａ，２ｂ，２ｃ  ＡＴＭインタフェース、３０  コンソール、  ３１  ＰＢＸ装置、  ３２  リレースイッチ装置、  ３３  ＡＴＭ交換機、  ３４  カプラ、  ５０  ＵＴＯＰＩＡバス、  ７１〜７８ＰＢＸインタフェース、  ８１〜８ｍ  ＰＢＸインタフェース、  ９１〜９ｎＡＴＭインタフェース、  １００  ＡＴＭ交換機、  １０１  ＳＴＭ通信装置、  １０２現用系インタフェース装置、  １０３  待機系インタフェース装置、１０４ａ，１０５ａ  現用系伝送路、  １０４ｂ，１０５ｂ  待機系伝送路、３０１  コンソールケーブル、  Ｃ０  空きチャネル、  Ｃ１  第１現用チャネル、  Ｃ２  第２現用チャネル、  Ｃ１５  エキストラトラフィックチャネル、  Ｄ１  固定分岐点、  Ｄ２  選択スイッチ、  Ｄ３  分岐スイッチ、  Ｄ２０，Ｄ２１，Ｄ２２，Ｄ２１５  選択スイッチ、  Ｄ３０，Ｄ３１，Ｄ３２，Ｄ３１５  分岐スイッチ、  Ｓ０  予備セクション、  Ｓ１  第１現用セクション、  Ｓ２  第２現用セクション。
【図１】
0003657856.tif 000002
【図２】
0003657856.tif 000003
【図３】
0003657856.tif 000004
【図４】
0003657856.tif 000005
【図５】
0003657856.tif 000006
【図６】
0003657856.tif 000007
【図７】
0003657856.tif 000008
【図８】
0003657856.tif 000009
【図９】
0003657856.tif 000010
【図１０】
0003657856.tif 000011
【図１１】
0003657856.tif 000012
【図１２】
0003657856.tif 000013